(57)【要約】【課題】スライドオブジェクトの通過後に生じる画質の劣化を抑制することのできる技術を提供する。【解決手段】本発明の表示装置は、複数の分割領域に対応する複数の発光部からの光を透過することにより、画面に画像を表示する表示装置であって、入力画像データの輝度特徴量に基づいて、分割領域毎に、その分割領域に対応する発光部の発光輝度を決定する決定手段と、複数の分割領域の中にオブジェクト通過後領域が存在するか否かを判断する判断手段と、分割領域毎に、決定手段で決定された発光輝度に対し、発光輝度の時間変化を抑制する抑制処理を施して、その分割領域に対応する発光部の発光輝度を制御する制御手段と、を有し、制御手段は、オブジェクト通過後領域が存在すると判断されているときに、オブジェクト通過後領域が存在しないと判断されているときよりも低い抑制度合いで抑制処理を行う。【選択図】図１
2014228578.tif 000002
【特許請求の範囲】
【請求項１】
画面の領域を構成する複数の分割領域に対応する複数の発光部と、
入力画像データに基づく透過率で前記複数の発光部からの光を透過することにより、前記画面に画像を表示する表示パネルと、
入力画像データの、前記分割領域毎の輝度特徴量を取得する取得手段と、
前記取得手段で取得された前記分割領域毎の輝度特徴量に基づいて、前記分割領域毎に、その分割領域に対応する発光部の発光輝度を決定する決定手段と、
前記複数の分割領域の中に、過去のフレームにおいて一方向に移動するスライドオブジェクトが表示されたが、現在のフレームにおいて前記スライドオブジェクトが表示されない分割領域である、オブジェクト通過後領域が存在するか否かを判断する判断手段と、
前記分割領域毎に、前記決定手段で決定された発光輝度に対し、発光輝度の時間変化を抑制する抑制処理を施して、その分割領域に対応する発光部の発光輝度を制御する制御手段と、
を有し、
前記制御手段は、前記判断手段でオブジェクト通過後領域が存在すると判断されているときに、前記判断手段でオブジェクト通過後領域が存在しないと判断されているときよりも低い抑制度合いで前記抑制処理を行う
ことを特徴とする表示装置。
【請求項２】
前記抑制処理は、現在のフレームに対する抑制処理後の発光輝度と、過去のフレームに対する抑制処理後の発光輝度との差分が、設定された上限値以下の値に制限されるように、発光輝度の時間変化を抑制する処理であり、
前記制御手段は、前記判断手段でオブジェクト通過後領域が存在すると判断されているときに、前記判断手段でオブジェクト通過後領域が存在しないと判断されているときよりも大きい値を、前記上限値として設定する
ことを特徴とする請求項１に記載の表示装置。
【請求項３】
前記制御手段は、現在のフレームに対して前記決定手段で決定された発光輝度と、過去のフレームに対する抑制処理後の発光輝度との差分が、前記上限値以下である分割領域に対して、現在のフレームに対して前記決定手段で決定された発光輝度を、抑制処理後の発光輝度として決定する
ことを特徴とする請求項２に記載の表示装置。
【請求項４】
前記制御手段は、前記判断手段でオブジェクト通過後領域が存在すると判断されているときに、前記分割領域毎に、その分割領域に対して前記取得手段で取得された輝度特徴量の時間変化、または、当該分割領域に対して前記決定手段で決定された発光輝度の時間変化に基づいて、当該時間変化が大きいほど低い抑制度合いで前記抑制処理を行う
ことを特徴とする請求項１〜３のいずれか１項に記載の表示装置。
【請求項５】
前記制御手段は、前記判断手段でオブジェクト通過後領域が存在すると判断されているときに、現在のフレームに対して前記決定手段で決定された発光輝度が、過去のフレームに対して前記決定手段で決定された発光輝度と一致する分割領域に対しては、現在のフレームに対して前記決定手段で決定された発光輝度を、抑制処理後の発光輝度として決定する
ことを特徴とする請求項４に記載の表示装置。
【請求項６】
前記判断手段は、
現在のフレームに対して前記取得手段で取得された輝度特徴量、または、現在のフレームに対して前記決定手段で決定された発光輝度が過去のフレームに対して得られた値よ
りも小さい２つ以上の分割領域であって、一方向に連続して並んだ２つ以上の分割領域を、オブジェクト通過後領域の候補として検出し、
現在のフレームに対して検出された候補からなる領域の形状が、過去のフレームに対して検出された候補からなる領域の形状と一致する場合に、現在のフレームに対して検出された候補をオブジェクト通過後領域として検出する
ことを特徴とする請求項１〜５のいずれか１項に記載の表示装置。
【請求項７】
前記判断手段は、
現在のフレームに対して前記取得手段で取得された輝度特徴量、または、現在のフレームに対して前記決定手段で決定された発光輝度が過去のフレームに対して得られた値よりも大きい２つ以上の分割領域であって、一方向に連続して並んだ２つ以上の分割領域を、オブジェクト通過後領域の候補として検出し、
現在のフレームに対して検出された候補からなる領域の形状が、過去のフレームに対して検出された候補からなる領域の形状と一致する場合に、現在のフレームに対して検出された候補をオブジェクト通過後領域として検出する
ことを特徴とする請求項１〜６のいずれか１項に記載の表示装置。
【請求項８】
前記判断手段は、
前記画面の領域を構成する複数の動き検出領域のそれぞれについて、画像の動きを検出し、
画像の動きの方向が互いに等しい２つ以上の動き検出領域であって、一方向に連続して並んでいる２つ以上の動き検出領域を、オブジェクト領域として検出し、
過去のフレームに対して検出されたオブジェクト領域を含む分割領域であって、現在のフレームに対して検出されたオブジェクト領域を含まない分割領域を、オブジェクト通過後領域として検出する
ことを特徴とする請求項１〜５のいずれか１項に記載の表示装置。
【請求項９】
前記動き検出領域は、前記分割領域よりも小さい
ことを特徴とする請求項８に記載の表示装置。
【請求項１０】
前記スライドオブジェクトはテロップである
ことを特徴とする請求項１〜９のいずれか１項に記載の表示装置。
【請求項１１】
前記過去のフレームは、現在のフレームの１つ前のフレームである
ことを特徴とする請求項１〜１０のいずれか１項に記載の表示装置。
【請求項１２】
前記決定手段は、入力画像データの輝度が高いほど高くなるように発光輝度を決定することを特徴とする請求項１〜１１のいずれか１項に記載の表示装置。
【請求項１３】
前記決定手段は、前記分割領域毎に、その分割領域の輝度特徴量に応じて、当該分割領域に対応する発光部の発光輝度を決定する
ことを特徴とする請求項１〜１２のいずれか１項に記載の表示装置。
【請求項１４】
画面の領域を構成する複数の分割領域に対応する複数の発光部と、
入力画像データに基づく透過率で前記複数の発光部からの光を透過することにより、前記画面に画像を表示する表示パネルと、
を有する表示装置の制御方法であって、
入力画像データの、前記分割領域毎の輝度特徴量を取得する取得ステップと、
前記取得ステップで取得された前記分割領域毎の輝度特徴量に基づいて、前記分割領域毎に、その分割領域に対応する発光部の発光輝度を決定する決定ステップと、
前記複数の分割領域の中に、過去のフレームにおいて一方向に移動するスライドオブジェクトが表示されたが、現在のフレームにおいて前記スライドオブジェクトが表示されない分割領域である、オブジェクト通過後領域が存在するか否かを判断する判断ステップと、
前記分割領域毎に、前記決定ステップで決定された発光輝度に対し、発光輝度の時間変化を抑制する抑制処理を施して、その分割領域に対応する発光部の発光輝度を制御する制御ステップと、
を有し、
前記制御ステップでは、前記判断ステップでオブジェクト通過後領域が存在すると判断されているときに、前記判断ステップでオブジェクト通過後領域が存在しないと判断されているときよりも低い抑制度合いで前記抑制処理を行う
ことを特徴とする表示装置の制御方法。
【請求項１５】
前記抑制処理は、現在のフレームに対する抑制処理後の発光輝度と、過去のフレームに対する抑制処理後の発光輝度との差分が、設定された上限値以下の値に制限されるように、発光輝度の時間変化を抑制する処理であり、
前記制御ステップでは、前記判断ステップでオブジェクト通過後領域が存在すると判断されているときに、前記判断ステップでオブジェクト通過後領域が存在しないと判断されているときよりも大きい値を、前記上限値として設定する
ことを特徴とする請求項１４に記載の表示装置の制御方法。
【請求項１６】
前記制御ステップでは、現在のフレームに対して前記決定ステップで決定された発光輝度と、過去のフレームに対する抑制処理後の発光輝度との差分が、前記上限値以下である分割領域に対して、現在のフレームに対して前記決定ステップで決定された発光輝度を、抑制処理後の発光輝度として決定する
ことを特徴とする請求項１５に記載の表示装置の制御方法。
【請求項１７】
前記制御ステップでは、前記判断ステップでオブジェクト通過後領域が存在すると判断されているときに、前記分割領域毎に、その分割領域に対して前記取得ステップで取得された輝度特徴量の時間変化、または、当該分割領域に対して前記決定ステップで決定された発光輝度の時間変化に基づいて、当該時間変化が大きいほど低い抑制度合いで前記抑制処理を行う
ことを特徴とする請求項１４〜１６のいずれか１項に記載の表示装置の制御方法。
【請求項１８】
前記制御ステップでは、前記判断ステップでオブジェクト通過後領域が存在すると判断されているときに、現在のフレームに対して前記決定ステップで決定された発光輝度が、過去のフレームに対して前記決定ステップで決定された発光輝度と一致する分割領域に対しては、現在のフレームに対して前記決定ステップで決定された発光輝度を、抑制処理後の発光輝度として決定する
ことを特徴とする請求項１７に記載の表示装置の制御方法。
【請求項１９】
前記判断ステップでは、
現在のフレームに対して前記取得ステップで取得された輝度特徴量、または、現在のフレームに対して前記決定ステップで決定された発光輝度が過去のフレームに対して得られた値よりも小さい２つ以上の分割領域であって、一方向に連続して並んだ２つ以上の分割領域を、オブジェクト通過後領域の候補として検出し、
現在のフレームに対して検出された候補からなる領域の形状が、過去のフレームに対して検出された候補からなる領域の形状と一致する場合に、現在のフレームに対して検出された候補をオブジェクト通過後領域として検出する
ことを特徴とする請求項１４〜１８のいずれか１項に記載の表示装置の制御方法。
【請求項２０】
前記判断ステップでは、
現在のフレームに対して前記取得ステップで取得された輝度特徴量、または、現在のフレームに対して前記決定ステップで決定された発光輝度が過去のフレームに対して得られた値よりも大きい２つ以上の分割領域であって、一方向に連続して並んだ２つ以上の分割領域を、オブジェクト通過後領域の候補として検出し、
現在のフレームに対して検出された候補からなる領域の形状が、過去のフレームに対して検出された候補からなる領域の形状と一致する場合に、現在のフレームに対して検出された候補をオブジェクト通過後領域として検出する
ことを特徴とする請求項１４〜１９のいずれか１項に記載の表示装置の制御方法。
【請求項２１】
前記判断ステップでは、
前記画面の領域を構成する複数の動き検出領域のそれぞれについて、画像の動きを検出し、
画像の動きの方向が互いに等しい２つ以上の動き検出領域であって、一方向に連続して並んでいる２つ以上の動き検出領域を、オブジェクト領域として検出し、
過去のフレームに対して検出されたオブジェクト領域を含む分割領域であって、現在のフレームに対して検出されたオブジェクト領域を含まない分割領域を、オブジェクト通過後領域として検出する
ことを特徴とする請求項１４〜１８のいずれか１項に記載の表示装置の制御方法。
【請求項２２】
前記動き検出領域は、前記分割領域よりも小さい
ことを特徴とする請求項２１に記載の表示装置の制御方法。
【請求項２３】
前記スライドオブジェクトはテロップである
ことを特徴とする請求項１４〜２２のいずれか１項に記載の表示装置の制御方法。
【請求項２４】
前記過去のフレームは、現在のフレームの１つ前のフレームである
ことを特徴とする請求項１４〜２３のいずれか１項に記載の表示装置の制御方法。
【請求項２５】
前記決定ステップでは、入力画像データの輝度が高いほど高くなるように発光輝度を決定する
ことを特徴とする請求項１４〜２４のいずれか１項に記載の表示装置の制御方法。
【請求項２６】
前記決定ステップでは、前記分割領域毎に、その分割領域の輝度特徴量に応じて、当該分割領域に対応する発光部の発光輝度を決定する
ことを特徴とする請求項１４〜２５のいずれか１項に記載の表示装置の制御方法。
【請求項２７】
請求項１４〜２６のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
従来、液晶表示装置において、画面の領域を構成する複数の分割領域のそれぞれについて、その分割領域における入力画像データの輝度特徴量に基づいてバックライトの発光輝度と液晶パネルの透過率を制御する技術がある（特許文献１）。このような技術を用いることにより、画像の暗部の黒浮きを抑制することができ、ひいてはコントラストを向上することができる。
また、バックライトの発光輝度と液晶パネルの透過率を制御する際にバックライトの時間変化を抑制する抑制処理を実行することにより、バックライトの発光輝度の急激な時間変化を抑制し、フリッカの発生を抑制する技術がある。抑制処理は、例えば、時間方向のローパスフィルタ処理（時間方向ＬＰＦ処理）とも呼ばれる。
【０００３】
しかしながら、上述した２つの技術の両方を用いた表示装置では、一方向に移動するスライドオブジェクトを含む動画を表示した場合に、スライドオブジェクトの通過後に画質の劣化が生じてしまう。例えば、黒背景上を白文字が下から上へ移動する動画を表示した場合に、白文字が通過する分割領域におけるバックライトの発光輝度は、白文字の通過中、白文字（黒背景と白文字の両方を含む画像領域の輝度特徴量）に基づく発光輝度（高輝度）に制御される。しかしながら、白文字が通過する分割領域におけるバックライトの発光輝度は、白文字の通過後、白文字に基づく発光輝度から黒背景（黒背景のみを含む画像領域の輝度特徴量）に基づく発光輝度（低輝度）へゆっくり変化してしまう。即ち、白文字が通過する分割領域におけるバックライトの発光輝度は、白文字の通過後に、時間方向ＬＰＦ処理の時定数に伴う期間だけ、高い値に制御されてしまう。その結果、白文字が通過する分割領域において、白文字の通過後に、黒背景しか表示されていないにもかかわらず、バックライトからの高輝度な光による黒浮きが生じてしまう。
【先行技術文献】
【特許文献】
【０００４】
【特許文献１】特開２００２−９９２５０号公報
【発明の概要】
【発明が解決しようとする課題】
【０００５】
本発明は、スライドオブジェクトの通過後に生じる画質の劣化を抑制することのできる技術を提供することを目的とする。
【課題を解決するための手段】
【０００６】
本発明の表示装置は、
画面の領域を構成する複数の分割領域に対応する複数の発光部と、
入力画像データに基づく透過率で前記複数の発光部からの光を透過することにより、前記画面に画像を表示する表示パネルと、
入力画像データの、前記分割領域毎の輝度特徴量を取得する取得手段と、
前記取得手段で取得された前記分割領域毎の輝度特徴量に基づいて、前記分割領域毎に、その分割領域に対応する発光部の発光輝度を決定する決定手段と、
前記複数の分割領域の中に、過去のフレームにおいて一方向に移動するスライドオブジェクトが表示されたが、現在のフレームにおいて前記スライドオブジェクトが表示されない分割領域である、オブジェクト通過後領域が存在するか否かを判断する判断手段と、
前記分割領域毎に、前記決定手段で決定された発光輝度に対し、発光輝度の時間変化を抑制する抑制処理を施して、その分割領域に対応する発光部の発光輝度を制御する制御手段と、
を有し、
前記抑制手段は、前記判断手段でオブジェクト通過後領域が存在すると判断されているときに、前記判断手段でオブジェクト通過後領域が存在しないと判断されているときよりも低い抑制度合いで前記抑制処理を行う
ことを特徴とする。
【０００７】
本発明の表示装置の制御方法は、
画面の領域を構成する複数の分割領域に対応する複数の発光部と、
入力画像データに基づく透過率で前記複数の発光部からの光を透過することにより、前記画面に画像を表示する表示パネルと、
を有する表示装置の制御方法であって、
入力画像データの、前記分割領域毎の輝度特徴量を取得する取得ステップと、
前記取得ステップで取得された前記分割領域毎の輝度特徴量に基づいて、前記分割領域毎に、その分割領域に対応する発光部の発光輝度を決定する決定ステップと、
前記複数の分割領域の中に、過去のフレームにおいて一方向に移動するスライドオブジェクトが表示されたが、現在のフレームにおいて前記スライドオブジェクトが表示されない分割領域である、オブジェクト通過後領域が存在するか否かを判断する判断ステップと、
前記分割領域毎に、前記決定ステップで決定された発光輝度に対し、発光輝度の時間変化を抑制する抑制処理を施して、その分割領域に対応する発光部の発光輝度を制御する制御ステップと、
を有し、
前記抑制ステップでは、前記判断ステップでオブジェクト通過後領域が存在すると判断されているときに、前記判断ステップでオブジェクト通過後領域が存在しないと判断されているときよりも低い抑制度合いで前記抑制処理を行う
ことを特徴とする。
【０００８】
本発明のプログラムは、上記表示装置の制御方法の各ステップをコンピュータに実行させることを特徴とする。
【発明の効果】
【０００９】
本発明によれば、スライドオブジェクトの通過後に生じる画質の劣化を抑制することができる。
【図面の簡単な説明】
【００１０】
【図１】実施例１に係る表示装置の構成の一例を示すブロック図
【図２】実施例１に係る表示装置の処理の流れの一例を示す図
【図３】実施例１に係る分割領域の一例を示す図
【図４】実施例１に係る抑制処理前の制御値の一例を示す図
【図５】実施例１に係る各種制御値の時間変化の一例を示す図
【図６】実施例１において期待される効果の一例を示す図
【図７】実施例２に係る表示装置の構成の一例を示すブロック図
【図８】実施例２に係る抑制処理前の制御値と抑制度合いの一例を示す図
【図９】実施例２に係る各種制御値の時間変化の一例を示す図
【図１０】実施例２において期待される効果の一例を示す図
【図１１】実施例３に係る表示装置の構成の一例を示すブロック図
【図１２】実施例３において期待される効果の一例を示す図
【発明を実施するための形態】
【００１１】
＜実施例１＞
以下、本発明の実施例１に係る表示装置及びその制御方法について説明する。
なお、本実施例では、表示装置が液晶表示装置である場合の例を説明するが、表示装置は液晶表示装置に限らない。表示装置は、発光部からの光を透過して画面に画像を表示する装置であればよい。例えば、表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１２】
図１は、本実施例に係る表示装置の構成の一例を示すブロック図である。
図１に示すように、本実施例に係る表示装置は、特徴量取得部１０１、バックライト制御値決定部１０２、フレーム間差分値算出部１０３、テロップ通過後領域検出部１０４、時間方向ＬＰＦ処理部１０５、伸長率算出部１０６、伸長処理部１０７、液晶パネル部１０８、バックライト部１０９、などを有する。
【００１３】
バックライト部１０９は、画面の領域を構成する複数の分割領域に対応する複数の発光部を有する。各発光部は、時間方向ＬＰＦ処理部１０５から出力された制御値に応じた発光輝度で発光する。
なお、本実施例では、分割領域が、画面の領域をマトリクス状に分割して得られる領域である場合の例を説明するが、これに限らない。例えば、分割領域は、画面の領域を短冊状に分割して得られる領域であってもよい。
【００１４】
液晶パネル部１０８は、入力画像データに基づく透過率でバックライト部１０９（複数の発光部）からの光を透過することにより、画面に画像を表示する表示パネルである。具体的には、液晶パネル部１０８は複数の液晶素子を有しており、各液晶素子の透過率（開口率）は伸長処理部１０７から出力された表示用画像データに応じた値に制御される。制御された透過率でバックライト部１０９からの光が液晶素子を透過することにより、画面に画像が表示される。
【００１５】
特徴量取得部１０１は、入力画像データの、分割領域毎の輝度特徴量を取得（検出）する。本実施例では、特徴量取得部１０１は、分割領域毎に、その分割領域の輝度特徴量として、当該分割領域における入力画像データの輝度値の最大値（最大輝度値）を取得（検出）する。
なお、本実施例では、輝度特徴量が最大輝度値である場合の例を説明するが、輝度特徴量は最大輝度値に限らない。例えば、輝度特徴量は、輝度値の平均値、最頻値、最小値などであってもよいし、画素値の平均値、最頻値、最小値、最大値などであってもよい。
【００１６】
バックライト制御値決定部１０２は、特徴量取得部１０１で取得された分割領域毎の輝度特徴量に基づいて、分割領域毎に、その分割領域に対応する発光部の発光輝度を決定（算出）する。本実施例では、バックライト制御値決定部１０２は、入力画像データの輝度が高いほど高くなるように発光輝度を決定する。具体的には、バックライト制御値決定部１０２は、分割領域毎に、その分割領域の輝度特徴量に応じて、当該分割領域に対応する発光部の発光輝度を決定する。より具体的には、バックライト制御値決定部１０２は、分割領域毎に、その分割領域の輝度特徴量に応じて、当該分割領域に対応する発光部の制御値（バックライト制御値）を決定する。制御値は発光輝度に対応する値であり、上述したように、発光部は制御値に応じた発光輝度で発光する。
なお、本実施例では、発光部の発光輝度を決定する際に、当該発光部に対応する分割領域のみの輝度特徴量を用いる例を説明するが、これに限らない。例えば、１つの発光部の発光輝度は、複数の分割領域の輝度特徴量を用いて決定されてもよい。具体的には、発光
部の発光輝度を決定する際に、当該発光部に対応する分割領域と、その周辺の分割領域との輝度特徴量が用いられてもよい。
なお、本実施例では、入力画像データの輝度が高いほど高くなるように発光輝度を決定する例を説明するが、これに限らない。例えば、入力画像データの輝度が高いほど低くなるように発光輝度が決定されてもよい。
【００１７】
フレーム間差分値算出部１０３は、分割領域毎に、現在のフレームに対して特徴量取得部１０１で取得された輝度特徴量と、過去のフレームに対して特徴量取得部１０１で取得された輝度特徴量との差分（フレーム間差分値）を算出する。
なお、フレーム間差分値算出部１０３では、分割領域毎に、現在のフレームに対してバックライト制御値決定部１０２で決定された発光輝度と、過去のフレームに対してバックライト制御値決定部１０２で決定された発光輝度との差分が算出されてもよい。
なお、本実施例では、過去のフレームが現在のフレームの１つ前のフレームである場合の例を説明するが、過去のフレームは現在のフレームの複数前のフレームであってもよい。
【００１８】
テロップ通過後領域検出部１０４は、複数の分割領域の中にテロップ通過後領域（オブジェクト通過後領域）が存在するか否かを判断する。本実施例では、テロップ通過後領域検出部１０４は、複数の分割領域のうち、テロップ通過後領域を検出する。テロップ通過後領域は、過去のフレームにおいて一方向に移動するテロップ（スライドオブジェクト）が表示されていたが、現在のフレームにおいてテロップが表示されなくなった分割領域である。本実施例では、テロップ通過後領域検出部１０４は、フレーム間差分値算出部１０３で算出された分割領域毎のフレーム間差分値に基づいて、テロップ通過後領域を検出する。
なお、本実施例では、スライドオブジェクトがテロップである場合の例を説明するが、スライドオブジェクトはテロップに限らない。スライドオブジェクトは、一方向に移動するオブジェクトであればよく、例えば、画像の領域内を右から左へ移動するイラストなどであってもよい。
【００１９】
時間方向ＬＰＦ処理部１０５は、分割領域毎に、バックライト制御値決定部１０２で決定された発光輝度（制御値）に対し、発光輝度の時間変化を抑制する抑制処理（時間方向のローパスフィルタ処理；時間方向ＬＰＦ処理）を施す。本実施例では、テロップ通過後領域検出部１０４でテロップ通過後領域が存在すると判断されているときに、テロップ通過後領域検出部１０４でテロップ通過後領域が存在しないと判断されているときよりも低い抑制度合いで抑制処理が行われる。具体的には、テロップ通過後領域が検出されていないときには通常の変化速度で発光輝度が変化し、テロップ通過後領域が検出されているときには通常の変化速度よりも速い変化速度で発光輝度が変化するように、発光輝度が調整される。
【００２０】
また、時間方向ＬＰＦ処理部１０５は、分割領域毎に、その分割領域に対応する発光部の発光輝度を、抑制処理後の発光輝度に制御する。具体的には、時間方向ＬＰＦ処理部１０５は、各発光部の抑制処理後の制御値をバックライト部１０９に出力する。それにより、各発光部が抑制処理後の制御値に応じた発光輝度（抑制処理後の発光輝度）で発光する。
【００２１】
なお、本実施例では、テロップ通過後領域が存在するときに、全ての分割領域について、抑制処理の抑制度合いをテロップ通過後領域が存在しないときよりも低い値にする例を説明するが、これに限らない。テロップ通過後領域が存在するときに、テロップ通過後領域についてのみ、抑制処理の抑制度合いがテロップ通過後領域が存在しないときよりも低い値にされてもよい。
なお、抑制処理を行う機能部と、発光部の発光輝度を制御する機能部とは、別々に設けられていてもよい。
【００２２】
伸長率算出部１０６は、発光部の発光輝度（制御値）を基準値と異なる値にしたことによる画面上の輝度の変化を画像データで補償するための補償パラメータとして、入力画像データの画素値に乗算する伸長率を算出する。
なお、補償パラメータは、画素毎に算出されてもよいし、分割領域毎に算出されてもよい。
なお、補償パラメータは、画素値に乗算する伸長率ではなく、画素値に加算する加算値であってもよい。
【００２３】
伸長処理部１０７は、伸長率算出部１０６で算出した伸長率で入力画像データの画素値を補正し、補正後の画像データを表示用画像データとして液晶パネル部１０８に出力する。
【００２４】
本実施例に係る表示装置の処理（テロップ通過後領域を検出するまでの処理）の流れについて、図２を用いて説明する。
図２（Ａ）、図２（Ｂ）、図２（Ｃ）は、Ｎ−２番目（Ｎは整数）のフレームの入力画像データ、Ｎ−１番目のフレームの入力画像データ、Ｎ番目のフレームの入力画像データを示す。Ｎ−２番目のフレームの入力画像データ、Ｎ−１番目のフレームの入力画像データ、Ｎ番目のフレームの入力画像データは、その順番で入力され、処理される。
なお、入力画像データのビット数はどのような値であってもよく、例えば、８ビットである。
【００２５】
まず、特徴量取得部１０１において、分割領域毎に、その分割領域における入力画像データの最大輝度値が、当該分割領域の輝度特徴量として取得される。本実施例では、図３に示すように、画面の領域が水平方向８個×垂直方向５個の計４０個の分割領域に分割されているものとする。そのため、特徴量取得部１０１では、１フレームに対して４０個の輝度特徴量が取得される。図２（Ａ）〜２（Ｃ）の入力画像データから取得された輝度特徴量を図２（Ｄ）〜２（Ｆ）に示す。
【００２６】
次に、フレーム間差分値算出部１０３において、分割領域毎に、フレーム間差分値が算出される。具体的には、フレーム間差分値算出部１０３は、過去のフレーム（現在のフレームの１つ前のフレーム）の入力画像データから取得された輝度特徴量を保持している。そして、フレーム間差分値算出部１０３は、分割領域毎に、現在のフレームの輝度特徴量から過去のフレームの輝度特徴量を減算した値を、フレーム間差分値として算出する。即ち、現在のフレームがｎ−１番目のフレームであるときには、ｎ−１番目のフレームの輝度特徴量からｎ−２番目のフレームの輝度特徴量を減算した値が、フレーム間差分値として算出される。そして、現在のフレームがｎ番目のフレームであるときには、ｎ番目のフレームの輝度特徴量からｎ−１番目のフレームの輝度特徴量を減算した値が、フレーム間差分値として算出される。現在のフレームがｎ−１番目のフレームであるときに算出されたフレーム間差分値、即ち図２（Ｄ）の輝度特徴量と図２（Ｅ）の輝度特徴量との差分であるフレーム間差分値を図２（Ｇ）に示す。現在のフレームがｎ番目のフレームであるときに算出されたフレーム間差分値、即ち図２（Ｅ）の輝度特徴量と図２（Ｆ）の輝度特徴量との差分であるフレーム間差分値を図２（Ｈ）に示す。
なお、本実施例では、現在のフレームの輝度特徴量から過去のフレームの輝度特徴量を減算した値を、フレーム間差分値として算出したが、これに限らない。例えば、過去のフレームの輝度特徴量から現在のフレームの輝度特徴量を減算した値や、現在のフレームの輝度特徴量と過去のフレームの輝度特徴量との差分の絶対値が、フレーム間差分値として算出されてもよい。
【００２７】
そして、テロップ通過後領域検出部１０４において、テロップ通過後領域が検出される。以下に、テロップ通過後領域検出部１０４における処理の一例について説明する。
【００２８】
まず、テロップ通過後領域検出部１０４は、現在のフレームに対するテロップ通過後領域の候補（現候補）を検出する。本実施例では、現在のフレームに対して特徴量取得部１０１で取得された輝度特徴量が過去のフレームに対して得られた値よりも小さい２つ以上の分割領域であって、一方向に連続して並んだ２つ以上の分割領域が、現候補として検出される。即ち、テロップ通過後領域検出部１０４は、現在のフレームに対して算出されたフレーム間差分値が負の値である２つ以上の分割領域であって、一方向に連続して並んだ２つ以上の分割領域を、現候補として検出する。上記一方向は、例えば、上下方向、左右方向、斜め方向である。現在のフレームがｎ−１番目のフレームであるときには、図２（Ｉ）に示すように、領域Ａの各分割領域が現候補として検出される。現在のフレームがｎ番目のフレームであるときには、図２（Ｊ）に示すように、領域Ｂの各分割領域が現候補として検出される。
【００２９】
また、テロップ通過後領域検出部１０４は、過去のフレームに対して算出されたフレーム間差分値を保持しており、現候補の検出と同様の方法で、過去のフレームに対するテロップ通過後領域の候補（過去候補）を検出する。現在のフレームがｎ番目のフレームであるときには、図２（Ｉ）に示すように、領域Ａの各分割領域が過去候補として検出される。
【００３０】
次に、テロップ通過後領域検出部１０４は、現候補からなる領域の形状が、過去候補からなる領域の形状と一致するか否かを、ブロックマッチング法を用いて判定する。現在のフレームがｎ番目のフレームであるときには、領域Ａと領域Ｂの形状が一致するか否かが判定される。
【００３１】
そして、テロップ通過後領域検出部１０４は、現候補からなる領域の形状が、過去候補からなる領域の形状と一致すると判定した場合に、現候補をテロップ通過後領域として決定する。現在のフレームがｎ番目のフレームであるときには、領域Ｂを構成する分割領域がテロップ通過後領域として決定される。本実施例では、テロップ通過後領域検出部１０４は、テロップ通過後領域の検出結果として、テロップ通過後領域に１が対応付けられ、テロップ通過後領域以外の分割領域に０が対応付けられた検出情報を出力する。現在のフレームがｎ番目のフレームであるときの検出情報を図２（Ｋ）に示す。
【００３２】
暗い背景上を明るいテロップが移動する場合、テロップ通過後領域では、入力画像データの輝度値（輝度特徴量）が高い値から低い値に変化する。同様に、テロップ通過後領域では、バックライト制御値決定部１０２で決定された発光輝度も高い値から低い値に変化する。また、テロップは複数の分割領域を跨いで表示されることが多いため、テロップ通過後領域が存在する場合には、一方向に連続する複数の分割領域で上記変化（輝度値や発光輝度の変化）が生じる可能性が高い。そして、上記変化が生じる分割領域からなる領域は、複数フレームに渡って存在することとなる。上述した方法によれば、これらの条件を満たす分割領域を検出することができるため、テロップ通過後領域を検出することができる。
【００３３】
なお、本実施例では、現候補からなる領域の形状が、過去候補からなる領域の形状と一致するか否かを、ブロックマッチング法を用いて判定したが、判定方法はこれに限らない。例えば、現候補からなる領域の形状が、過去候補からなる領域の形状と一致するか否かは、勾配法などを用いて判定されてもよい。
なお、現候補を検出する処理と、過去候補を検出する処理とは並列に行われてもよいし
、順番に行われてもよい。現候補を検出する処理と、過去候補を検出する処理とを順番に行う場合には、それらの処理のどちらが先に行われてもよい。
なお、過去のフレームに対して検出された現候補を保持し、現フレームに対するテロップ通過後領域を検出する際に、当該現候補を過去候補として用いてもよい。例えば、現在のフレームがｎ−１番目のフレームであるときに現候補として検出された分割領域（領域Ａの各分割領域）を、現在のフレームがｎ番目のフレームであるときに過去候補として用いてもよい。
【００３４】
なお、現候補の検出方法は上述した方法に限らない。例えば、現在のフレームに対してバックライト制御値決定部１０２で決定された発光輝度が過去のフレームに対して得られた値よりも小さい２つ以上の分割領域であって、一方向に連続して並んだ２つ以上の分割領域が、現候補として検出されてもよい。また、現在のフレームに対して特徴量取得部１０１で取得された輝度特徴量が過去のフレームに対して得られた値よりも大きい２つ以上の分割領域であって、一方向に連続して並んだ２つ以上の分割領域が、現候補として検出されてもよい。現在のフレームに対してバックライト制御値決定部１０２で決定された発光輝度が過去のフレームに対して得られた値よりも大きい２つ以上の分割領域であって、一方向に連続して並んだ２つ以上の分割領域が、現候補として検出されてもよい。但し、現フレームに対する輝度特徴量や発光輝度が過去のフレームに対する値よりも小さい現候補と、現フレームに対する輝度特徴量や発光輝度が過去のフレームに対する値よりも大きい現候補とは、互いに区別して扱われることが好ましい。
過去候補の検出方法についても同様である。
【００３５】
なお、テロップ通過後領域の検出方法は上述した方法に限らない。例えば、入力画像データにテロップの領域を表す情報（メタデータ）が付加されている場合には、当該情報からテロップが表示される分割領域が、テロップ表示領域として検出されてもよい。そして、過去のフレームにおいてテロップ表示領域として検出されたが、現在のフレームにおいてテロップ表示領域として検出されなくなった分割領域が、テロップ通過後領域として検出されてもよい。
【００３６】
時間方向ＬＰＦ処理部１０５の処理について詳しく説明する。
上述したように、時間方向ＬＰＦ処理部１０５では、バックライト制御値決定部１０２で決定された発光輝度（制御値）に対して抑制処理が施される。抑制処理により、過去のフレームから現在のフレームにかけて、バックライト部１０９に入力する制御値が急激に変化しないように、バックライト部１０９に入力する制御値の時間変化の幅が制限される。本実施例では、抑制処理として、現在のフレームに対する抑制処理後の発光輝度と、過去のフレームに対する抑制処理後の発光輝度との差分が、設定された上限値以下の値に制限されるように、発光輝度の時間変化を抑制する処理が行われる。具体的には、抑制処理として、現在のフレームに対する抑制処理後の制御値と、過去のフレームに対する抑制処理後の制御値との差分が、設定された上限値以下の値に制限されるように、制御値の時間変化を抑制する処理が行われる。より具体的には、時間方向ＬＰＦ処理部１０５は、以下の式１を用いて抑制処理後の制御値を算出する。式１において、ＯＵＴ（Ｎ−１）は、過去のフレームに対する抑制処理後の制御値である。ＩＮ（Ｎ）は、現在のフレームに対する抑制処理前の制御値（現在のフレームに対してバックライト制御値決定部１０２で決定された制御値）である。Ｌｍｔは上限値である。ＯＵＴ（Ｎ）は、現在のフレームに対する抑制処理後の制御値である。
｜ＯＵＴ（Ｎ−１）−ＩＮ（Ｎ）｜≦Ｌｍｔの場合
ＯＵＴ（Ｎ）＝ＩＮ（Ｎ）
ＯＵＴ（Ｎ−１）−ＩＮ（Ｎ）＞Ｌｍｔの場合
ＯＵＴ（Ｎ）＝ＯＵＴ（Ｎ−１）−Ｌｍｔ
ＯＵＴ（Ｎ−１）−ＩＮ（Ｎ）＜−Ｌｍｔの場合
ＯＵＴ（Ｎ）＝ＯＵＴ（Ｎ−１）＋Ｌｍｔ
・・・（式１）
【００３７】
式１からわかるように、本実施例では、現在のフレームに対してバックライト制御値決定部１０２で決定された発光輝度と、過去のフレームに対する抑制処理後の発光輝度との差分が上限値以下である分割領域に対する抑制処理における抑制度合いが０にされる。即ち、そのような分割領域に対しては、現在のフレームに対してバックライト制御値決定部１０２で決定された発光輝度が、抑制処理後の発光輝度として決定される。これは、そのような分割領域ではフリッカが発生する可能性が低く、バックライト制御値決定部１０２で決定された発光輝度をそのまま用いた方が画質の観点から好ましいからである。
【００３８】
なお、抑制処理は式１を用いた方法に限らない。発光輝度の時間変化を抑制することができれば、どのような方法を用いてもよい。
なお、本実施例では、フリッカが発生する可能性が低い分割領域の発光輝度の時間変化を抑制しない例を説明したが、そのような分割領域の発光輝度の時間変化が抑制されてもよい。
【００３９】
本実施例では、時間方向ＬＰＦ処理部１０５は、テロップ通過後領域が存在すると判断されているときに、テロップ通過後領域が存在しないと判断されているときよりも大きい値を、上限値Ｌｍｔとして設定する。具体的には、時間方向ＬＰＦ処理部１０５は、テロップ通過後領域が検出されていないときには、上限値Ｌｍｔ＝３０を設定し、テロップ通過後領域が検出されているときには、上限値Ｌｍｔ＝４０を設定する。
【００４０】
本実施例における時間方向ＬＰＦ処理の具体例について、以下に説明する。
ここでは、バックライト制御値決定部１０２において、図２（Ａ）の入力画像データに基づいて図４（Ａ）の制御値が得られるものとする。また、図２（Ｂ）の入力画像データに基づいて図４（Ｂ）の制御値が得られ、図２（Ｃ）の入力画像データに基づいて図４（Ｃ）の制御値が得られるものとする。
図４（Ａ）〜４（Ｃ）の分割領域Ｘにおける各種制御値の時間変化を図５（Ａ）に示す。図４（Ａ）〜４（Ｃ）の分割領域Ｙにおける各種制御値の時間変化を図５（Ｂ）に示す。図５（Ａ），５（Ｂ）において、細線は、抑制処理前の制御値（バックライト制御値決定部１０２で決定された制御値）の時間変化を示す。破線は、全てのフレームでテロップ通過後領域が検出されていない場合の抑制処理後の制御値の時間変化を示す。太線は、Ｎ−１番目以前のフレームでテロップ通過後領域が検出されておらず、Ｎ−２番目のフレーム以降のフレームでテロップ通過後領域が検出されている場合の抑制処理後の制御値の時間変化を示す。図５（Ａ），５（Ｂ）から、テロップ通過後領域が検出されているときに、テロップ通過後領域が検出されていないときに比べて抑制処理の抑制度合いが低減されていることがわかる。そして、抑制度合いが低減されたことにより、テロップ通過後領域が検出されているときの方が、テロップ通過後領域が検出されていないときよりも、バックライト部１０９に入力する制御値（抑制処理後の制御値）がより多く低減されることがわかる。
なお、本実施例では、上限値Ｌｍｔを高めることにより抑制処理における抑制度合いを低減したが、抑制度合いの低減方法はこれに限らない。抑制度合いを低減することができればどのような方法を用いてもよく、例えば、抑制処理の方法に応じた方法を用いればよい。
【００４１】
本実施例において期待される効果について、図６（Ａ）〜６（Ｏ）を用いて説明する。
図６（Ａ）、図６（Ｂ）、図６（Ｃ）は、Ｎ−２番目のフレームの入力画像データ、Ｎ
−１番目のフレームの入力画像データ、Ｎ番目のフレームの入力画像データを示す。図６（Ａ）〜６（Ｃ）から、暗い背景上を明るいテロップが下から上へ移動していることがわかる。
【００４２】
従来の方法を用いた場合（抑制処理の抑制度合いを固定とした場合）には、抑制処理後の制御値は、図６（Ｄ）〜（Ｆ）のように変化する。図６（Ｄ）、図６（Ｅ）、図６（Ｆ）は、Ｎ−２番目のフレームの制御値、Ｎ−１番目のフレームの制御値、Ｎ番目のフレームの制御値を示す。
そして、Ｎ−２番目のフレームの表示画像（画面に表示された画像）、Ｎ−１番目のフレームの表示画像、Ｎ番目のフレームの表示画像は、図６（Ｇ）、図６（Ｈ）、図６（Ｉ）のようになる。
図６（Ｅ），６（Ｆ），６（Ｈ），６（Ｉ）において、矢印で示す領域は、テロップ通過後領域である。従来の方法では、図６（Ｅ），６（Ｆ）に示すように、抑制処理により、テロップ通過後領域の制御値が高い値に制御され、テロップ通過後領域の発光輝度が高い値に制御される。その結果、図６（Ｈ），図６（Ｉ）に示すように、テロップ通過後領域において画質の劣化（具体的には不自然な黒浮き（残光））が生じてしまう。
【００４３】
一方、本実施例では、抑制処理後の制御値は、図６（Ｊ）〜（Ｌ）のように変化する。図６（Ｊ）、図６（Ｋ）、図６（Ｌ）は、Ｎ−２番目のフレームの制御値、Ｎ−１番目のフレームの制御値、Ｎ番目のフレームの制御値を示す。
そして、Ｎ−２番目のフレームの表示画像、Ｎ−１番目のフレームの表示画像、Ｎ番目のフレームの表示画像は、図６（Ｍ）、図６（Ｎ）、図６（Ｏ）のようになる。
図６（Ｋ），６（Ｌ），６（Ｎ），６（Ｏ）において、矢印で示す領域は、テロップ通過後領域である。本実施例では、テロップ通過後領域に対する抑制処理における抑制度合いを低減したことにより、図６（Ｋ），６（Ｌ）に示すように、テロップ通過後領域の制御値が従来の値よりも低い値に制御さる。そして、テロップ通過後領域の発光輝度が従来の値よりも低い値に制御される。その結果、図６（Ｎ），図６（Ｏ）に示すように、従来の方法で生じていた画質の劣化（テロップ通過後領域における画質の劣化）を低減することができる。
【００４４】
以上述べたように、本実施例によれば、テロップ通過後領域の有無が判断され、テロップ通過後領域が存在するときに、テロップ通過後領域が存在しないときよりも低い抑制度合いで抑制処理が行われる。換言すれば、テロップ通過後領域の有無が判断され、テロップ通過後領域が存在するときの発光輝度の変化速度が、テロップ通過後領域が存在しないときの発光輝度の変化速度よりも速められる。それにより、スライドオブジェクトの通過後に生じる画質の劣化を抑制することができる。
【００４５】
＜実施例２＞
以下、本発明の実施例２に係る表示装置及びその制御方法について説明する。
【００４６】
実施例１の時間方向ＬＰＦ処理部１０５では、テロップ通過後領域が存在するときの抑制処理における抑制度合いを全ての分割領域間で同じ値としていた。換言すれば、テロップ通過後領域が存在するときの発光輝度の変化速度を全ての分割領域間で同じ速度としていた。そのため、特徴量取得部１０１で取得された輝度特徴量の時間変化が大きいテロップ通過後領域と、小さいテロップ通過後領域とで、抑制処理後の発光輝度がバックライト制御値決定部１０２で決定された発光輝度に達するまでの時間に差異が生じていた。換言すれば、バックライト制御値決定部１０２で決定された発光輝度の時間変化が大きいテロップ通過後領域と、小さいテロップ通過後領域とで、上記差異が生じていた。このような差異は、テロップ通過後領域における画質の劣化（黒浮きの発生）などをもたらす虞がある。
【００４７】
そこで、本実施例では、オブジェクト通過後領域が存在すると判断されているときに、分割領域毎に、その分割領域に対してバックライト制御値決定部１０２で決定された発光輝度の時間変化に基づく低減度合いで抑制処理を行う。具体的には、上記時間変化が大きいほど低い低減度合いで抑制処理を行う。即ち、上記時間変化が大きいほど発光輝度の変化速度を速める。それにより、上記差異を低減することができる。
なお、本実施例では、バックライト制御値決定部１０２で決定された発光輝度の時間変化に基づいて抑制度合いを変更する例を説明するが、これに限らない。特徴量取得部１０１で取得された輝度特徴量の時間変化に基づいて、当該時間変化が大きいほど低い抑制度合いで抑制処理が行われてもよい。
【００４８】
図７は、本実施例に係る表示装置の構成の一例を示すブロック図である。
本実施例に係る表示装置は、実施例１（図１）に示す機能部の他に、抑制度合い算出部１１０を有する。
以下、実施例１と異なる機能について説明し、実施例１と同じ機能については説明を省略する。
【００４９】
抑制度合い算出部１１０は、テロップ通過後領域（オブジェクト通過後領域）が検出されているときに、分割領域毎に、その分割領域に対する抑制処理における抑制度合いを算出する。本実施例では、分割領域毎に、バックライト制御値決定部１０２で決定された発光輝度の時間変化に基づいて、当該時間変化が大きいほど低くなるように、抑制度合いが算出される。具体的には、抑制度合い算出部１１０は、過去のフレーム（現在のフレームの１つ前のフレーム）に対して決定された発光輝度（制御値）を保持している。そして、抑制度合い算出部１１０は、分割領域毎に、現在のフレームに対して決定された発光輝度と、過去のフレームに対して決定された発光輝度との差分を、抑制度合いとして算出する。本実施例では、過去のフレームに対して決定された発光輝度から、現在のフレームに対して決定された発光輝度を減算した値が、抑制度合いとして算出される。即ち、現在のフレームがＮ番目のフレームである場合、“ＩＮ（Ｎ−１）−ＩＮ（Ｎ）”が抑制度合いとして算出される。
なお、抑制度合いの算出方法はこれに限らない。例えば、抑制度合いとして、現在のフレームに対して特徴量取得部１０１で取得された輝度特徴量と、過去のフレームに対して特徴量取得部１０１で取得された輝度特徴量との差分が算出されてもよい。特徴量取得部１０１で取得された輝度特徴量の時間変化や、バックライト制御値決定部１０２で決定された発光輝度の時間変化が大きいほど低くなるように抑制度合いを算出することができれば、どのような方法で抑制度合いが算出されてもよい。
【００５０】
時間方向ＬＰＦ処理部１０５は、テロップ通過後領域が検出されていないときに、実施例１と同様の抑制処理を行う。
また、時間方向ＬＰＦ処理部１０５は、テロップ通過後領域が検出されているときに、抑制度合い算出部１１０で算出された抑制度合いで抑制処理を行う。それにより、バックライト制御値決定部１０２で決定された発光輝度の時間変化が大きいほど速くなるように、発光輝度の変化速度が制御される。
【００５１】
以下、テロップ通過後領域が検出されているときの抑制処理の具体例を説明する。
本実施例では、時間方向ＬＰＦ処理部１０５は、以下の式２を用いて、抑制処理後の制御値を算出する。式２において、ＯＵＴ（Ｎ−１）は、過去のフレームに対する抑制処理後の制御値である。ＩＮ（Ｎ）は、現在のフレームに対する抑制処理前の制御値（現在のフレームに対してバックライト制御値決定部１０２で決定された制御値）である。ＩＮ（Ｎ−１）は、過去のフレームに対する抑制処理前の制御値（過去のフレームに対してバックライト制御値決定部１０２で決定された制御値）である。αは所定の低減率である。Ｏ
ＵＴ（Ｎ）は、現在のフレームに対する抑制処理後の制御値である。式２において、“ＩＮ（Ｎ−１）−ＩＮ（Ｎ）”は、抑制度合い算出部１１０で算出された抑制度合いである。
ＩＮ（Ｎ−１）≠ＩＮ（Ｎ）の場合
ＯＵＴ（Ｎ）＝ＯＵＴ（Ｎ−１）−α×（ＩＮ（Ｎ−１）−ＩＮ（Ｎ））
ＩＮ（Ｎ−１）＝ＩＮ（Ｎ）の場合
ＯＵＴ（Ｎ）＝ＩＮ（Ｎ）
・・・（式２）
【００５２】
式２からわかるように、本実施例では、ＩＮ（Ｎ−１）＝ＩＮ（Ｎ）の場合に、ＩＮ（Ｎ）がＯＵＴ（Ｎ）として決定される。即ち、現在のフレームと過去のフレームとの間で抑制処理前の発光輝度が一致する分割領域に対しては、現在のフレームに対して決定された抑制処理前の発光輝度が、抑制処理後の発光輝度として決定される。これは、そのような分割領域では、抑制処理前の発光輝度が過去のフレームにおける抑制処理後の発光輝度に十分近づいており、フリッカが発生する可能性が低く、抑制処理前の発光輝度をそのまま用いた方が画質の観点から好ましいからである。
なお、｜ＯＵＴ（Ｎ−１）−ＩＮ（Ｎ）｜≦α×｜ＩＮ（Ｎ−１）−ＩＮ（Ｎ）｜の場合に、ＯＵＴ（Ｎ）＝ＩＮ（Ｎ）としてもよい。
【００５３】
本実施例において期待される効果について、図８（Ａ）〜８（Ｅ）、図９（Ａ），９（Ｂ）、図１０（Ａ）〜１０（Ｆ）を用いて説明する。
【００５４】
図８（Ａ）は、Ｎ−２番目のフレームに対する抑制処理前の制御値（バックライト制御値決定部１０２で決定された制御値）を示す。図８（Ｂ）と図８（Ｃ）は、Ｎ−１番目のフレームに対する抑制処理前の制御値、Ｎ番目のフレームに対する抑制処理前の制御値を示す。
図８（Ｄ）と図８（Ｅ）は、テロップ通過後領域が検出されているときに算出される抑制度合いを示す。上述したように、本実施例では、抑制度合いとして、フレーム間の制御値の差分が算出される。図８（Ｄ）は、現在のフレームがＮ−１番目のフレームであるときに算出された抑制度合い“ＩＮ（Ｎ−２）−ＩＮ（Ｎ−１）”を示す。図８（Ｅ）は、現在のフレームがＮ番目のフレームであるときに算出された抑制度合い“ＩＮ（Ｎ−１）−ＩＮ（Ｎ）”を示す。
【００５５】
図８（Ａ）〜８（Ｃ）の分割領域Ｘにおける各種制御値の時間変化を図９（Ａ）に示す。図８（Ａ）〜８（Ｃ）の分割領域Ｙにおける各種制御値の時間変化を図９（Ｂ）に示す。図９（Ａ），９（Ｂ）において、細線は、抑制処理前の制御値（バックライト制御値決定部１０２で決定された制御値）の時間変化を示す。破線と太線は、Ｎ−１番目以前のフレームでテロップ通過後領域が検出されておらず、Ｎ−２番目のフレーム以降のフレームでテロップ通過後領域が検出されている場合の抑制処理後の制御値の時間変化を示す。破線は、実施例１の抑制処理後の制御値の時間変化を示す。太線は、実施例２の抑制処理後の制御値の時間変化を示す。太線は、α＝０．９とした場合の例を示す。図９（Ａ），９（Ｂ）から、テロップ通過後領域が検出されているときに、実施例１よりも実施例２のほうが、抑制処理の抑制度合いが低減されていることがわかる。そして、実施例１よりも実施例２のほうが、抑制処理後の制御値がより多く低減されることがわかる。
【００５６】
図１０（Ａ）〜１０（Ｆ）は、抑制処理前の制御値（バックライト制御値決定部１０２で決定された制御値）が図８（Ａ）〜８（Ｃ）に示すように変化する場合の、抑制処理後の制御値を示す。図１０（Ａ）〜１０（Ｃ）は、実施例１の抑制処理後の制御値を示し、
図１０（Ｄ）〜１０（Ｆ）は、実施例２の抑制処理後の制御値を示す。図１０（Ａ）と図１０（Ｄ）は、Ｎ−２番目のフレームに対する抑制処理後の制御値を示す。図１０（Ｂ）と図１０（Ｅ）は、Ｎ−１番目のフレームに対する抑制処理後の制御値を示す。図１０（Ｃ）と図１０（Ｆ）は、Ｎ番目のフレームに対する抑制処理後の制御値を示す。図１０（Ａ）〜１０（Ｆ）において、グレーで示された分割領域はテロップ通過後領域である。即ち、図１０（Ａ）〜１０（Ｆ）は、Ｎ−２〜Ｎ番目のフレームに対してテロップ通過後領域が検出されている場合の例を示す。
【００５７】
上述したように、実施例１では、テロップ通過後領域が存在するときの抑制処理における抑制度合いが全ての分割領域間で同じ値とされていた。そのため、図１０（Ａ）〜１０（Ｃ）に示すように、抑制処理後の制御値がバックライト制御値決定部１０２で決定された制御値に達するまでの期間（収束期間）にばらつきが生じてしまうことがあった。具体的には、図１０（Ａ）の破線で示すテロップ通過後領域では、バックライト制御値決定部１０２で決定された制御値に達するまでに他のテロップ通過後領域よりも長い期間（２フレーム期間）要してしまっていた。図１０（Ｂ）の太線で示すテロップ通過後領域についても同様である。
一方、本実施例では、分割領域毎に、バックライト制御値決定部１０２で決定された発光輝度の時間変化が大きいほど低い抑制度合いで抑制処理が行われる。それにより、図１０（Ｄ）〜１０（Ｆ）に示すように、収束期間のばらつきを抑制することができる。具体的には、図１０（Ｄ）の破線で示す５つのテロップ通過後領域の収束期間を一定（１フレーム期間）に揃えることができる。図１０（Ｅ）の太線で示す５つのテロップ通過後領域の収束期間についても同様である。
【００５８】
以上述べたように、本実施例によれば、オブジェクト通過後領域が存在すると判断されているときに、分割領域毎に抑制処理の抑制度合いが制御される。具体的には、分割領域毎に、特徴量取得部１０１で取得された輝度特徴量の時間変化や、バックライト制御値決定部１０２で決定された発光輝度の時間変化が大きいほど低い抑制度合いで抑制処理が行われる。それにより、収束期間のばらつきを低減することができ、スライドオブジェクトの通過後に生じる画質の劣化を、実施例１よりも高精度に抑制することができる。
【００５９】
＜実施例３＞
以下、本発明の実施例３に係る表示装置及びその制御方法について説明する。
実施例１では、特徴量取得部１０１で取得された分割領域毎の輝度特徴量、または、バックライト制御値決定部１０２で決定された分割領域毎の発光輝度に基づいて、テロップ通過後領域を検出していた。そのため、分割領域の数が極端に少ない場合や、分割領域のサイズに対してテロップのサイズが極端に小さい場合などにおいて、テロップ通過後領域を高精度に検出することができないことがあった。
そこで、本実施例では、分割領域とは異なる領域単位でテロップの領域を検出し、その検出結果に基づいてテロップ通過後領域を検出する例を説明する。本実施例では、分割領域とは別の領域単位の上記検出結果を用いてテロップ通過後領域が検出されるため、実施例１よりも高精度にテロップ通過後領域を検出することが可能となる。
【００６０】
図１１は、本実施例に係る表示装置の構成の一例を示すブロック図である。
本実施例に係る表示装置は、実施例１（図１）のフレーム間差分値算出部１０３の代わりに、動きベクトル検出部１１１とテロップ領域検出部１１２を有する。
以下、実施例１と異なる機能について説明し、実施例１と同じ機能については説明を省略する。
【００６１】
動きベクトル検出部１１１は、画面の領域を構成する複数の動き検出領域のそれぞれについて、画像の動きを検出する。本実施例では、ブロックマッチング法を用いて、画像の
動きを表す動きベクトルが検出される。
なお、画像の動きの検出方法は、ブロックマッチング法を用いた方法に限らない。例えば、画像の動きは、勾配法を用いて検出されてもよい。
【００６２】
テロップ領域検出部１１２は、動きベクトル検出部１１１の検出結果に基づいて、複数の動き検出領域のうち、テロップが表示される動き検出領域を、テロップ領域（オブジェクト領域）として検出する。具体的には、テロップ領域検出部１１２は、画像の動きの方向が互いに等しい２つ以上の動き検出領域であって、一方向に連続して並んでいる２つ以上の動き検出領域を、テロップ領域として検出する。
そして、テロップ領域検出部１１２は、分割領域毎に、テロップ領域を含む分割領域か否かを判定する。
本実施例では、動き検出領域として分割領域より小さい領域を設定する。それにより、分割領域単位で画像の動きを検出するよりも高精度にテロップ領域を含む分割領域を検出することができ、ひいては分割領域単位の情報を用いるよりも高精度にテロップ通過後領域を検出することができる。
【００６３】
テロップ通過後領域検出部１０４は、過去のフレーム（現在のフレームの１つ前のフレーム）に対するテロップ領域検出部１１２の判定結果（テロップ領域を含む分割領域か否かの判定結果）を保持している。そして、テロップ通過後領域検出部１０４は、現在のフレームと過去のフレームに対するテロップ領域検出部１１２の判定結果に基づいて、テロップ通過後領域を検出する。具体的には、テロップ通過後領域検出部１０４は、過去のフレームに対して検出されたオブジェクト領域を含む分割領域であって、現在のフレームに対して検出されたオブジェクト領域を含まない分割領域を、オブジェクト通過後領域として検出する。換言すれば、過去のフレームにおいてオブジェクト領域を含む分割領域であると判定されたが、現在のフレームにおいてオブジェクト領域を含む分割領域でないと判定された分割領域が、オブジェクト通過後領域として検出される。
【００６４】
本実施例において期待される効果について、図１２（Ａ）〜１２（Ｋ）を用いて説明する。図１２（Ａ）〜１２（Ｋ）において、太線は分割領域を示し、細線は動き検出領域を示す。図１２（Ａ）〜１２（Ｃ）は、入力画像データ（の拡大図）を示す。図１２（Ａ）、図１２（Ｂ）、図１２（Ｃ）は、Ｎ−２番目のフレームの入力画像データ、Ｎ−１番目のフレームの入力画像データ、Ｎ番目のフレームの入力画像データを示す。
【００６５】
動きベクトル検出部１１１では、図１２（Ｄ），１２（Ｅ）に示すように、動き検出領域毎の動きベクトルが検出される。図１２（Ｄ）は、Ｎ−１番目のフレームに対する動きベクトルの検出結果を示し、図１２（Ｅ）は、Ｎ番目のフレームに対する動きベクトルの検出結果を示す。動き検出領域に記載された矢印は、その動き検出領域に対する動きベクトルの方向を示す。矢印が記載されていない動き検出領域は、画像の動きが無い動き検出領域である。
【００６６】
テロップ領域検出部１１２では、図１２（Ｆ），１２（Ｇ）に示すように、複数の動き検出領域の中から、テロップ領域が検出される。図１２（Ｆ）は、Ｎ−１番目のフレームに対するテロップ領域の検出結果を示し、図１２（Ｇ）は、Ｎ番目のフレームに対するテロップ領域の検出結果を示す。グレーで示す動き検出領域は、テロップ領域として検出された動き検出領域である。
そして、テロップ領域検出部１１２では、図１２（Ｈ），１２（Ｉ）に示すように、分割領域毎に、テロップ領域を含む分割領域か否かが判定される。図１２（Ｈ）は、Ｎ−１番目のフレームに対する判定結果を示し、図１２（Ｉ）は、Ｎ番目のフレームに対する判定結果を示す。“テロップ有り”が記載された分割領域は、テロップ領域を含むと判定された分割領域であり、“テロップ無し”が記載された分割領域は、テロップ領域を含まな
いと判定された分割領域である。
【００６７】
テロップ通過後領域検出部１０４では、過去のフレームから現在のフレームにかけて、テロップ領域検出部１１２の判定結果が“テロップ有り”から“テロップなし”に変化した分割領域が検出される。Ｎ−１番目のフレームに対するテロップ通過後領域の検出結果を図１２（Ｊ）に示し、Ｎ番目のフレームに対するテロップ通過後領域の検出結果を図１２（Ｋ）に示す。“テロップ通過後領域”が記載された分割領域は、テロップ通過後領域として検出された分割領域である。何も記載されていない分割領域は、テロップ通過後領域として検出されなかった分割領域である。
【００６８】
以上の処理により、分割領域の数が極端に少なかったり、分割領域のサイズに対してテロップのサイズが極端に小さかったりしても、サイズの小さい動き検出領域単位で画像の動きが検出されるため、画像の動きを高精度に検出することができる。そして、動き検出領域単位でテロップ領域が検出され、テロップ領域の検出結果に基づいてテロップ通過後領域が検出されるため、テロップ領域及びテロップ通過後領域を高精度に検出することができる。ひいては、テロップの通過後に生じる画質の劣化を高精度に抑制することができる。
【００６９】
以上述べたように、本実施例によれば、分割領域とは異なる領域単位でテロップの領域が検出され、その検出結果に基づいてテロップ通過後領域が検出される。それにより、実施例１よりも高精度にテロップ通過後領域を検出することが可能となる。ひいては、テロップの通過後に生じる画質の劣化を、実施例１，２よりも高精度に抑制することができる。
なお、本実施例の構成を実施例２の構成と組み合わせて用いてもよい。
【００７０】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００７１】
１０１：特徴量取得部  １０２：バックライト制御値決定部  １０３：フレーム間差分値算出部  １０４：テロップ通過後領域検出部  １０５：時間方向ＬＰＦ処理部  １０８：液晶パネル部  １０９：バックライト部
【図１】
2014228578.tif 000003
【図２】
2014228578.tif 000004
【図３】
2014228578.tif 000005
【図４】
2014228578.tif 000006
【図５】
2014228578.tif 000007
【図６】
2014228578.tif 000008
【図７】
2014228578.tif 000009
【図８】
2014228578.tif 000010
【図９】
2014228578.tif 000011
【図１０】
2014228578.tif 000012
【図１１】
2014228578.tif 000013
【図１２】
2014228578.tif 000014